(57)【要約】【課題】  コンクリート造の集合住宅等のベランダの手摺壁等に支柱を着脱自在に立設することができ、その際に手摺壁等に傷を付ける虞のない、ベランダ等の手摺壁に固定用の支柱を提供する。【解決手段】  コンクリート製の手摺壁１３を跨ぐような全体がコ字状のフレーム金具１と、手摺壁１３を跨いだ該フレーム金具１を着脱可能に、該手摺壁１３の内外から該手摺壁１３を挟むように挟着固定する固定手段と、該フレーム金具１の手摺壁上縁に当接する部分に固着して立設された支柱１５を備えたベランダ等の手摺壁に固定用の支柱。【選択図】        図４
2005201030.tif 000002
【特許請求の範囲】
【請求項１】
コンクリート製の手摺壁を跨ぐような全体がコ字状のフレーム金具と、手摺壁を跨いだ該フレーム金具を着脱可能に該手摺壁の内外から該手摺壁を挟むように挟着固定する固定手段と、該フレーム金具の手摺壁上縁に当接する部分に固着して立設された支柱を備えたベランダ等の手摺壁に固定用の支柱。
【請求項２】
該コの字状フレーム金具が一対の逆Ｌ字状取付フレームを互に対向して設け、その間隔を調節可能に固定したコの字状フレーム金具である請求項１記載のベランダ等の手摺壁に固定用の支柱。
【請求項３】
該固定手段が該コの字状フレーム金具の脚部に螺合して、先端が該手摺壁の側面に当接して圧接するようにねじ込まれたボルトよりなる請求項１又は２記載のベランダ等の手摺壁に固定用の支柱。
【請求項４】
一定間隔で立設した請求項１乃至３記載の支柱にフェンスの枠体を固定し、該支柱の間のベランダ等の手摺壁上に固定した、枠体を備えたフェンス。
【請求項５】
該フェンスが防鳥網よりなるフェンスである請求項４記載のベランダ等の手摺壁上に固定した、枠体を備えたフェンス。
【請求項６】
該フェンスが防犯用、落下防止用金網、目隠し用鎧戸又は園芸用トレリスよりなるフェンスである請求項４記載のベランダ等の手摺壁上に固定した、枠体を備えたフェンス。
【請求項７】
請求項１乃至３記載の該コの字状フレーム金具の脚部から該手摺壁の外側側方に突出するように固定された部材により、手摺壁に対して揺動不能に固定した工事用仮設足場。
【発明の詳細な説明】
【技術分野】
【０００１】  本発明は所謂マンション等の集合住宅のベランダや廊下の手摺壁に防犯用フェンス、防鳥用網やガーデニング用トレリス等を取り付けるために、着脱可能に立設する支柱に関し、また該支柱取付用フレーム金具に工事用仮設足場を取り付ける足場組立工法に関する。
【背景技術】
【０００２】  従来、所謂マンション等の集合住宅のベランダや廊下の手摺壁に防犯用フェンス、防鳥用網やガーデニング用トレリス等を取り付けるためには、ベランダ等の手摺壁にアンカーボルトを打ち込み、これに支柱を固定して、該支柱を利用して防犯用フェンス、防鳥用網やガーデニング用トレリス等を取り付ける必要があった。【０００３】  またマンション等の集合住宅の大規模修繕の際に、建物の外壁を補修するために、外壁全面に沿って工事用仮設足場を組み立てる必要がある。工事用架設足場は一般に多数の鋼管を各種の結合金具で互に結合して組み立てるのであるが、鋼管足場を建物の外壁に固定するために、タイル壁の場合は、多数の必要箇所のタイルを一旦剥離して、その剥離跡のコンクリート壁にアンカーボルトを打ち込んで、これに足場を固定し、工事終了後に足場を解体する際に、アンカーボルトを抜去して、タイルを張り直すことが行われている。
【発明の開示】
【発明が解決しようとする課題】
【０００４】  上記のように、従来のコンクリート造りの集合住宅のベランダや廊下の手摺壁に、種々の必要に応じて、支柱を立設しようとすると、安全確実に固定するためには、アンカーボルトを打ち込んで、これに支柱を固定する必要があり、手摺壁に傷を付ける結果となり、賃貸住宅では賃借人が勝手に行うことはできなかった。【０００５】  またマンション等の補修工事の際、工事用仮設足場を固定するために、一旦タイルを剥離してアンカーボルトで足場を固定し、工事終了後にタイルの復旧工事をする必要があった。【０００６】  従って本発明は、集合住宅等のベランダ等のコンクリート製手摺壁等に支柱を着脱自在に立設することができ、その際に手摺壁等に傷を付ける虞のない、ベランダ等の手摺壁に固定用の支柱を提供することを目的とする。【０００７】  また本発明の他の目的はコンクリート造りの集合住宅等の外壁の補修の際に、工事用仮設足場を簡単に組むことができる足場組立工法を提供することを目的とする。
【課題を解決するための手段】
【０００８】  上記目的を達成すべく、本発明者は鋭意研究を重ねた結果、コンクリート製の手摺壁を跨ぐような全体がコ字状のフレーム金具を手摺壁の内外から締めつけて手摺壁に挟着することにより、フレーム金具を着脱可能に手摺壁に固定することができ、該フレーム金具の手摺壁上縁に当接する部分に、支柱を固着、立設することにより、ベランダ等の手摺壁に支柱を着脱自在に固定することができることを見出し、本発明を完成するに到った。【０００９】  即ち、本発明は、コンクリート製の手摺壁を跨ぐような全体がコ字状のフレーム金具と、手摺壁を跨いだ該フレーム金具を着脱可能に該手摺壁の内外から該手摺壁を挟むように挟着固定する固定手段と、該フレーム金具の手摺壁上縁に当接する部分に固着して立設された支柱を備えたベランダ等の手摺壁に固定用の支柱を要旨とする。【００１０】  他の本発明は、上記のベランダ等の手摺壁に固定用の支柱において、該コの字状フレーム金具が一対の逆Ｌ字状取付フレームを互に対向して設け、その間隔を調節可能に固定したコの字状フレーム金具であるベランダ等の手摺壁に固定用の支柱を要旨とする。【００１１】  更に他の本発明は、上記のベランダ等の手摺壁に固定用の支柱において、該固定手段が該コの字状フレーム金具の脚部に螺合して、先端が該手摺壁の側面に当接して圧接するようにねじ込まれたボルトよりなるベランダ等の手摺壁に固定用の支柱を要旨とする。【００１２】  更に他の本発明は、上記のベランダ等の手摺壁に固定用の支柱にフェンスの枠体を固定し、該支柱の間のベランダ等の手摺壁上に固定した、枠体を備えたフェンスを要旨とする。【００１３】  更に他の本発明は、上記のベランダ等の手摺壁に固定用の支柱に固定した該フェンスが防鳥網よりなるフェンスであるベランダ等の手摺壁上に固定した、枠体を備えたフェンスを要旨とする。【００１４】  更に他の本発明は、上記のベランダ等の手摺壁に固定用の支柱に固定した該フェンスが防犯用、落下防止用金網、目隠し用鎧戸又は園芸用トレリスよりなるフェンスであるベランダ等の手摺壁上に固定した、枠体を備えたフェンスを要旨とする。【００１５】  更に他の本発明は、上記のベランダ等の手摺壁に固定用の支柱の該コの字状フレーム金具の脚部から該手摺壁の外側側方に突出するように固定された部材により、手摺壁に対して揺動不能に固定された工事用仮設足場を要旨とする。
【発明の効果】
【００１６】  本発明によれば、コの字状フレーム金具を、ベランダ等のコンクリート製手摺壁を跨ぐように着脱自在に固着することができ、そのフレーム金具に立設した支柱が手摺壁の上に、着脱自在に立設されるので、この支柱を利用して、防犯用金網、防鳥用網やガーデニング用トレリス等を確実に取り付けることができ、また該フレーム金具に固定したボルト等を利用して、工事用仮設足場を確実に固定しうる。
【発明を実施するための最良の形態】
【００１７】  次に本発明の内容を図面により詳細に説明する。図１は本発明に用いられるコの字状フレーム金具の側面図、図２は同正面図、図３は同平面図である。図１に示すコの字状フレーム金具１では、フレーム金具１は２個１組の略逆Ｌ字状取付フレーム２、３よりなり、取付フレーム２の上面にボルト４が溶接されている。取付フレーム３の上面には、取付フレーム３上面の長手方向に沿って長孔５が穿設され、この長孔５にボルト４が挿通されて、一対の取付フレーム２、３の相互の間隔を調節してボルト４をナット６で締め付けることにより取付フレーム２、３の間隔を適宜調節して固定する。【００１８】  コの字状フレーム金具１の両脚部７には、それぞれ複数のボルト挿通孔８を設け、該ボルト挿通孔８に一致する位置にナット９を溶接する。該ナット９にそれぞれ内側よりボルト１０を螺合し、該ボルト１０の頭の頂面１１に硬質ゴム板１２を接着する。【００１９】  ボルト１０を回動して、ボルト１０の頭の頂面１１の硬質ゴム板１２を手摺壁１３の側面に当接して圧接させることにより、コの字状フレーム金具１が手摺壁１３に着脱自在に固着される。ボルト１０が緩まないように、固定用二重ナット１４で締め付けて置くのが望ましい。【００２０】  コの字状フレーム金具１には、図１に示すように、取付フレーム２、３の逆Ｌ字状の屈折角部のすぐ下の部分に、横に張り出す膨らみ部２２を設けてあるが、これは手摺壁１３の中には、手摺壁１３の頂部の幅が手摺壁１３の下部の本体部分の厚みよりも僅かに幅広く形成されているものがあり、これに対応して手摺壁１３頂部の幅廣の部分を膨らみ部２２に収容しうるようにしたものである。【００２１】  図１乃至３に示すコの字状フレーム金具１は一対の逆Ｌ字状取付フレーム２、３を互いに摺動して間隔を調節、固定できるようになっているが、必ずしも一対の逆Ｌ字状取付フレーム２、３によりコの字状フレーム金具１を構成する必要はない。全体を略コの字状の一体のフレーム金具で構成してもよい。その場合はコの字状フレーム金具１の両脚部７の間隔は一定不変であるが、通常の手摺壁の厚みに適合するように、何種類かのフレーム金具１を用意しておけばよい。この場合はコの字状フレーム金具１の上面にボルト４を溶接する。【００２２】  図２に示すように、コの字状フレーム金具１の上に支柱１５を固着する。支柱１５は金属製パイプよりなり、下端より一定の高さの位置に底板１６を設け、該底板１６中央にボルト孔を穿け、これにナット１７を溶接してある。コの字状フレーム金具１の上面から突出するボルト４に、ナット１７を螺合して支柱１５全体と共に回動して、締結することにより、支柱１５をコの字状フレーム金具１上に立設する。【００２３】  図４は支柱１５に防鳥網１８を取り付けた状態の正面図である。防鳥網１８はアルミニュウム製等の枠体１９に２０ｍｍ程度の網目の金網又は繊維製網を張設したものを用いる。支柱１５に防鳥網１８を固着する方法は、図４に示すように、支柱１５を防鳥網１８の幅に合わせて一定間隔に立設し、各支柱１５の両側に固定用金具２０を突設し、これに防鳥網１８を締結する。【００２４】  支柱１５に防鳥網１８を取り付ける方法は、図４に示す固定用金具２０の��わりに、図５に示すように肘壺２１を用いることもできる。肘壺２１を用いると、火災等の災害時に消防隊等の進入に際して、必要に応じて容易に防鳥網１８を持ち上げて、取り外すことができる。【００２５】  上記防鳥網１８の代わりに防犯用のフェンスや、ベランダ等からの物体の落下防止用金網、ベランダ園芸用トレリス、目隠し用鎧戸等を防鳥網１８と同様に枠体１９を備えた構造に構成して、同様に支柱１５に取り付けられる。【００２６】  またコの字状フレーム金具１から横に突出するボルト１０を利用して、ベランダ等の手摺壁１３の内側にフラワーボックス等を架設する架台を固定することもできる。【００２７】  更にコの字状フレーム金具１から手摺壁１３の外側に横に突出するボルト１０を利用して、工事用仮設足場の鋼管を手摺壁１３に固定することができる。建物の補修工事の際に足場を仮設したとき、足場を見知らぬ作業員が往来することに対し、また作業員がいない夜間に足場を伝って不法侵入者が侵入しないかと不安に感ずる住人が多いが、足場の仮設の際に、同時に防犯用金網を支柱１５間に張設すれば、住人の不安を解消し、防犯上の安全を図ることができる。【００２８】  図６は本発明のコの字状フレーム金具１の別の実施例を示す。一対の逆Ｌ字状金具よりなる取付フレーム２、３によりコの字状フレーム金具１が構成されているのは、図１と同様である。取付フレーム２及び３の脚部７、７には、その上端近傍と中央部と下端近傍にそれぞれボルトを遊嵌するボルト孔２４を設ける。【００２９】  取付フレーム２の脚部７中央のボルト孔２４の外側には、長い雌ねじ孔を有する長ナット２３が溶接されている。各ボルト孔２４には、頭部に硬質ゴム製のパッド２５を有する押圧ボルト２６を内側より挿通し、脚部７の両側より固定用ナット２７により、押圧ボルト２６を適宜位置に調節固定する。長ナット２３を溶接したボルト孔２４に挿通した押圧ボルト２６は押圧ボルト２６を長ナット２３に螺合することにより位置調節をする。【００３０】  脚部７、７の上端部のボルト孔２４、２４に、１本の長ボルト２８を挿通して、その先端に螺合したナット２９を締め付けることにより、取付フレーム２、３の脚部７、７の間隔を狭めるように加圧し、各押圧ボルト２６のゴム製パッド２５を強力な押圧力で手摺壁１３の両側面に押圧して、コの字状フレーム金具１全体を強固に手摺壁１３に固定する。【００３１】  長ナット２３の雌ねじ孔には、外側よりボルトを螺着して、工事用仮設足場の固定等の目的に用いられる。
【産業上の利用可能性】
【００３２】  本発明のベランダの手摺壁に固定用の支柱及びその支柱を用いて固定したフエンス、及び工事用仮設足場は、マンション等の集合住宅の住環境を改善することができ、鳩、烏、雀等の鳥類がベランダや廊下に飛来して、手摺壁の上に止まり、糞をまき散らす等の糞公害を防止することができる。集合住宅等への不法侵入者等の侵入を防止し、防犯効果を発揮する。【００３３】  またマンション等の外壁の補修工事の際、工事用仮設足場を容易に、安全な状態に組み立てることができ、補修工事の際の時間と費用を節減しうる。
【図面の簡単な説明】
【００３４】
【図１】  本発明のコの字状フレーム金具の側面図
【図２】  本発明のコの字状フレーム金具の正面図
【図３】  本発明のコの字状フレーム金具の平面図
【図４】  本発明の支柱に防鳥網を取り付けた状態の正面図
【図５】  本発明の支柱に防鳥網を取り付けた部分の別の態様の正面図
【図６】  本発明のコの字状フレーム金具の別の実施例の側面図
【符号の説明】
【００３５】  １  コの字状フレーム金具
２、３  取付フレーム
４  ボルト
５  長孔
６  ナット
７  脚部
８  ボルト挿通孔
９  ナット
１０  ボルト
１１  頂面
１２  硬質ゴム板
１３  手摺壁
１４  固定用二重ナット
１５  支柱
１６  底板
１７  ナット
１８  防鳥網
１９  枠体
２０  固定用金具
２１  肘壺
２２  膨らみ部
２３  長ナット
２４  ボルト孔
２５  パッド
２６  押圧ボルト
２７  固定用ナット
２８  長ボルト
２９  ナット
【図１】
2005201030.tif 000003
【図２】
2005201030.tif 000004
【図３】
2005201030.tif 000005
【図４】
2005201030.tif 000006
【図５】
2005201030.tif 000007
【図６】
2005201030.tif 000008